(57)【要約】【課題】展開姿勢から格納姿勢又は格納姿勢から展開姿勢への切換が簡易であり、シート設置に用いる折畳みフレームを提供することを課題とする。【解決手段】本考案は、展開姿勢と格納姿勢に切換可能に構成されて少なくとも一部がシート２１によってカバーされる折畳みフレームであって、伸縮するパンタグラフからなる伸縮機構２を設け、伸縮機構２の下面側に伸縮方向に交差する方向に所定の幅を有する接地部１３を形成することにより該伸縮機構２を自立可能とし、伸縮機構２の周囲の少なくとも一部にシート２１を設置する設置部２２を形成し、伸縮機構２を伸長させることにより展開姿勢への切換を行う一方で、伸縮機構２を縮小させることにより格納姿勢への切換を行う。【選択図】図１
0003180181.tif 000002
【実用新案登録請求の範囲】
【請求項１】
展開姿勢と格納姿勢に切換可能に構成されて少なくとも一部がシート（２１，４４）又はパネルによってカバーされる折畳みフレームであって、伸縮するパンタグラフからなる伸縮機構（２）を設け、伸縮機構（２）の下面側に伸縮方向に交差する方向に所定の幅を有する接地部（１３）を形成することにより該伸縮機構（２）を自立可能とし、伸縮機構（２）の周囲の少なくとも一部にシート（２１，４４）又はパネルを設置する設置部（２２）を形成し、伸縮機構（２）を伸長させることにより展開姿勢への切換を行う一方で、伸縮機構（２）を縮小させることにより格納姿勢への切換を行う折畳みフレーム。
【請求項２】
上記伸縮方向に隣接する方形状の枠フレーム（７，８）同士をクロスさせて互いに回動可能に連結することにより、Ｘリンク（６）を構成し、Ｘリンク（６）を上記伸縮方向に複数並列し、隣合うＸリンク（６）の隣接する端部同士を回動自在に連結することにより、前記起立可能なパンタグラフを構成した請求項１に記載の折畳みフレーム。
【請求項３】
上記伸縮方向の載置台（４）を、展開姿勢時において前記枠フレーム（７，８）の枠内下端部に着脱可能に位置決め載置した請求項２に記載の折畳みフレーム。
【請求項４】
一部の枠フレーム（８）の上端部にグリップ（１７）を形成し、格納姿勢時に該グリップ（１７）に隣接する枠フレーム（７，８）の上端部を、グリップ（１７）よりも低い位置に形成してなる請求項２又は３の何れかに記載の折畳みフレーム。
【請求項５】
端側に配されて伸縮方向外側に向かって下方に傾斜した枠フレーム（７，８）の下端部に、作業者の足掛け用の下部杆（１６）を形成した請求項２乃至４の何れかに記載の折畳みフレーム。
【請求項６】
枠フレーム（７）の上下方向の中途部に前後方向の把持杆（１８）を架設した請求項２乃至５の何れかに記載の折畳みフレーム。
【請求項７】
上下方向に延びて上記伸縮方向に並べられた一対の縦フレーム（３，３）同士を、伸縮機構（２）によって離間・近接可能に連結し、各縦フレーム（３）を上下方向に伸縮可能に構成し、該一対の縦フレーム（３，３）間にシート（４４）又はパネルを設置可能とした請求項１乃至６の何れかに記載の折畳みフレーム。
【請求項８】
一対の縦フレーム（３，３）の上端部間に架設される架設フレーム（３８）を、一方の縦フレーム（３）に格納可能に回動可能に支持した請求項７に記載の折畳みフレーム。
【請求項９】
シート（２１）又はパネルを、伸縮機構（２）に弾力的に支持する弾性部材（２６）を設けた請求項１乃至８の何れかに記載の折畳みフレーム。
【請求項１０】
シート（２１）又はパネルを斜めに傾斜した状態で設置可能に設置部（２２）を形成した請求項１乃至９の何れかに記載の折畳みフレーム。
【考案の詳細な説明】
【技術分野】
【０００１】
この考案は、シート又はパネル設置用の折畳みフレームに関する。
【背景技術】
【０００２】
看板用や囲いやカバー等のシート又はパネルを仮設置する場合、通常、木枠又は鉄枠等にシートまたはパネルを貼付け、土中に杭等を打って固定するか、或いはロープ等で固定するため、設置に手間とコストが掛かる。
【０００３】
この問題を改善すべく、展開姿勢と格納姿勢に切換可能に構成されて少なくとも周囲の一部がシートまたはパネルによってカバーされる折畳みフレームが公知になっている（例えば、特許文献１参照。）。
【先行技術文献】
【特許文献】
【０００４】
【特許文献１】特開２００７−７０９１０号公報
【考案の概要】
【考案が解決しようとする課題】
【０００５】
上記文献の折畳みフレームは、未使用時、格納姿勢に切換えた状態で、倉庫等にコンパクトに収納できる一方で、展開姿勢から格納姿勢又は格納姿勢から展開姿勢への切換作業に手間を要するという欠点がある。
具体的には、この折畳みフレームでは、格納姿勢から展開姿勢への切換えに際して、連結部材に連結支持された一対の下部フレームを、互いに離間する側に回動させてハの字状に展開するとともに、連結部材に連結支持された一対の上部フレームを、互いに離間する側に回動させて逆ハの字状に展開し、各上部フレームの折畳まれた先端側分割フレームを、基端側分割フレームに対して一直線状に展開させる作業が必要になる。
【０００６】
本考案は、展開姿勢から格納姿勢又は格納姿勢から展開姿勢への切換が簡易であり、シート又はパネル設置に用いる折畳みフレームを提供することを課題とする。
【課題を解決するための手段】
【０００７】
上記課題を解決するため、第１に、展開姿勢と格納姿勢に切換可能に構成されて少なくとも一部がシート２１又はパネルによってカバーされる折畳みフレームであって、伸縮するパンタグラフからなる伸縮機構２を設け、伸縮機構２の下面側に伸縮方向に交差する方向に所定の幅を有する接地部１３を形成することにより該伸縮機構２を自立可能とし、伸縮機構２の周囲の少なくとも一部にシート２１又はパネルを設置する設置部２２を形成し、伸縮機構２を伸長させることにより展開姿勢への切換を行う一方で、伸縮機構２を縮小させることにより格納姿勢への切換を行うことを特徴としている。
【０００８】
第２に、上記伸縮方向に隣接する方形状の枠フレーム７，８同士をクロスさせて互いに回動可能に連結することにより、Ｘリンク６を構成し、Ｘリンク６を上記伸縮方向に複数並列し、隣合うＸリンク６の隣接する端部同士を回動自在に連結することにより、前記起立可能なパンタグラフを構成したことを特徴としている。
【０００９】
第３に、上記伸縮方向の載置台４を、展開姿勢時において前記枠フレーム７，８の枠内下端部に着脱可能に位置決め載置したことを特徴としている。
【００１０】
第４に、一部の枠フレーム８の上端部にグリップ１７を形成し、格納姿勢時に該グリップ１７に隣接する枠フレーム７，８の上端部を、グリップ１７よりも低い位置に形成してなることを特徴としている。
【００１１】
第５に、端側に配されて伸縮方向外側に向かって下方に傾斜した枠フレーム７，８の下端部に、作業者の足掛け用の下部杆１６を形成したことを特徴としている。
【００１２】
第６に、枠フレーム７の上下方向の中途部に前後方向の把持杆１８を架設したことを特徴としている。
【００１３】
第７に、上下方向に延びて上記伸縮方向に並べられた一対の縦フレーム３，３同士を、伸縮機構２によって離間・近接可能に連結し、各縦フレーム３を上下方向に伸縮可能に構成し、該一対の縦フレーム３，３間にシート４４又はパネルを設置可能としたことを特徴としている。
【００１４】
第８に、一対の縦フレーム３，３の上端部間に架設される架設フレーム３８を、一方の縦フレーム３に格納可能に回動可能に支持したことを特徴としている。
【００１５】
第９に、シート２１又はパネルを、伸縮機構２に弾力的に支持する弾性部材２６を設けたことを特徴としている。
【００１６】
第１０に、シート２１又はパネルを斜めに傾斜した状態で設置可能に設置部２２を形成したことを特徴としている。
【考案の効果】
【００１７】
伸縮するパンタグラフからなる伸縮機構を設け、伸縮機構の周囲の少なくとも一部にシート又はパネルを設置する設置部を形成したため、パンタグラフの伸縮によって、切換を迅速に行うことが可能になるとともに、伸縮機構の下面側に伸縮方向に交差する方向に所定の幅を有する接地部を形成することにより該伸縮機構を自立可能とするため、伸長するパンタグラフによって、自立時の安定性が向上し、収容スペースも小さく、持ち運びもし易い利便性の高い伸縮折畳みスタンドしても利用できる。
【００１８】
上記伸縮方向に隣接する方形状の枠フレーム同士をクロスさせて互いに回動可能に連結することにより、Ｘリンクを構成し、Ｘリンクを上記伸縮方向に複数並列し、隣合うＸリンクの隣接する端部同士を回動自在に連結することにより、前記起立可能なパンタグラフを構成したものによれば、方形状の枠フレームによって全体の強度が向上し、自立時の安定性もより向上する。
【００１９】
上記伸縮方向の載置台を、展開姿勢時において前記枠フレームの枠内下端部に着脱可能に位置決め載置したものによれば、必要に応じて、載置台に重りを載置させ、折畳みフレームの固定性を向上させることが可能になる。
【００２０】
一部の枠フレームの上端部にグリップを形成し、格納姿勢時に該グリップに隣接する枠フレームの上端部を、グリップよりも低い位置に形成してなるものによれば、グリップの把持により、パンタグラフの伸縮作業が容易になるとともに、グリップを把持してパンタグラフを縮小させた際に手が挟まれることが効率的に防止される。
【００２１】
端側に配されて上記伸縮方向外側に向かって下方に傾斜した枠フレームの下端部に、作業者の足掛け用の下部杆を形成したものによれば、下部間に足を掛けることにより、伸縮作業をより容易に行うことが可能になる。
【００２２】
枠フレームの上下方向の中途部に前後方向の把持杆を架設したものによれば、格納姿勢時に把持杆を把持することにより、持ち運びが容易になる。
【００２３】
上下方向に延びて上記伸縮方向に並べられた一対の縦フレーム同士を、伸縮機構によって離間・近接可能に連結し、各縦フレームを上下方向に伸縮可能に構成し、該一対の縦フレーム間にシート又はパネルを設置可能としたものによれば、より高い位置にシート又はパネルを設置可能になるとともに、シート又はパネルによるカバー面積がより広くなる。
【００２４】
一対の縦フレームの上端部間に架設される架設フレームを、一方の縦フレームに格納可能に回動可能に支持したものによれば、縦フレーム間に設置するシート又はパネルの設置強度や、縦フレーム自体の強度が向上する。
【００２５】
シート又はパネルを、伸縮機構に弾力的に支持する弾性部材を設けたものによれば、シート又はパネルが弾力的に支持されるため、外れを効率的に防止できる。
【図面の簡単な説明】
【００２６】
【図１】本考案を適用した折畳みフレームの斜視図である。
【図２】図１の折畳みフレームを折畳んだ状態を示す斜視図である。
【図３】縦フレームの斜視図である。
【図４】左右の縦フレーム間にシートを設置した状態を示す背面図である。
【図５】（Ａ），（Ｂ）はシートの他例を示す正面図である。
【図６】載置台の構成を示す正面図である。
【図７】折畳みフレームの変形例を示す斜視図である。
【図８】（Ａ），（Ｂ）はそれぞれ枠フレームの他例の構成を示す側面図である。
【図９】（Ａ）はシートの表示内容を示す正面図であり、（Ｂ）は（Ａ）を１８０度反転させた状態の正面図である。
【図１０】（Ａ），（Ｂ）は折畳みフレームの別実施形態を示す正面図及び平面図である。
【図１１】（Ａ），（Ｂ）はそれぞれ袋状のシートの構成を示す斜視図である。
【考案を実施するための形態】
【００２７】
図１は、本考案を適用した折畳みフレームの斜視図であり、図２は、図１の折畳みフレームを折畳んだ状態を示す斜視図である。図示する折畳みフレーム１は、伸縮フレームであって、折畳み自在な伸縮する仮設スタンドとして機能し、左右方向に伸縮する金属製（具体的には、各部材が押出形成されたアルミ製）のパンタグラフからなる伸縮機構２と、伸縮機構２によって左右方向に離間・近接可能に連結された左右一対の縦フレーム３，３と、左右方向に広げた状態の伸縮機構２内に収納されて位置決め載置される載置台４とを備えている。
【００２８】
この折畳みフレーム１は、伸縮機構２の伸長作動によって、左右方向に延びる展開姿勢（展開状態）に切換えられる一方で、伸縮機構２の縮小作動によって、左右方向にコンパクトに畳まれた格納姿勢（折畳み状態）に切換えられる。すなわち、この折畳みフレーム１は、左右方向に伸縮するように構成されている。
【００２９】
上記伸縮機構２は、正面視で交差したＸリンク６を左右方向に複数（図示する例では３つ）並列し、隣合うＸリンク６，６の隣接する端部同士を回動可能に連結することにより、構成されている。
【００３０】
各Ｘリンク６は、側面視で長方形状に形成された２つの枠フレーム７，８によって構成されている。一方の枠フレーム（内枠フレーム）７は、他方の枠フレーム（外枠フレーム）８に対して、前後幅が狭く且つ全長が短く形成されている。
【００３１】
内枠フレーム７の前後幅は、外枠フレーム８の前後幅内に挿入可能な長さに設定され、外枠フレーム８の前後幅内に内枠フレーム７を挿通させることにより、この２つの枠フレームが正面視でクロスしたＸ状になり、この一対の枠フレーム７，８の中途部同士を、前後一対の同一軸心となる前後方向の連結軸（中間連結軸）９によって回動自在に連結することにより、上述のＸリンク６を構成している。
【００３２】
左右方向に並べられた複数のＸリンク６の内枠フレーム７は、全てが自身の外枠フレーム８に対して同一の左右位置（具体的には左右一方側側方）に配置される。
【００３３】
隣合うＸリンク６，６の各組合せにおいて、一方のＸリンク６の外枠フレーム８上端部における左右幅内に、他方のＸリンク６の内枠フレーム７上端部を挿通して正面視でクロスさせ、前後一対の同一軸心となる前後方向の連結軸（上部連結軸）１１によって回動自在に連結するとともに、該他方のＸリンク６の外枠フレーム８下端部における左右幅内に、該一方のＸリンク６の内枠フレーム７下端部を挿入してクロスさせ、前後一対の同一軸心となる前後方向の連結軸（下部連結軸）１２によって回動自在に連結することにより、パンタグラフからなる前記伸縮機構２が構成されている。
【００３４】
パンタグラフを構成するために、隣合う中間連結軸９と上部連結軸１１との間の距離と、隣合う中間連結９軸と下部連結軸１２との間の距離は、全て同一に設定されている。
【００３５】
ちなみに、下端部が伸縮機構２の伸縮方向の端側に位置する内枠フレーム７及び外枠フレーム８がそれぞれ最外下側内枠フレーム７Ａ及び最外下側外枠フレーム８Ａになり、上端部が伸縮機構２の伸縮方向の端側に位置する内枠フレーム７及び外枠フレーム８がそれぞれ最外上側内枠フレーム７Ｂ及び最外上側外枠フレーム８Ｂになり、左右方向中途部に位置する内枠フレーム７及び外枠フレーム８がそれぞれ中間内枠フレーム７Ｃ及び中間外枠フレーム８Ｃになる。
【００３６】
複数の外枠フレーム８下端部の上下位置と、最外下側内枠フレーム７Ａの下端部の上下位置は全て同一に設定され、設置面に接地させる接地部（接地面）１３を構成している。この接地部１３は、所定以上（図示する例では、枠フレーム７，８の前後幅と同一）の前後幅を有し、このように伸縮方向である左右方向に対して交差方向（さらに具体的には直交方向）の幅である前後幅を有する設置部１３によって、伸縮機構２が自立（自身で起立）可能になる。この接地部１３には、滑り防止を目的として、弾性変形可能な合成樹脂等からなるクッション部材１４が設けられている。
【００３７】
最外下側内枠フレーム７Ａ及び最外下側外枠フレーム８Ａの枠内下部には、前後方向の下部杆１６が架設固定されている。この左右一対の下部杆１６，１６と、最外下側内枠フレーム７Ａ以外の内枠フレーム７Ｂ，７Ｃ下端部とは、上下高さが同一に設定され、左右方向に延びる前記載置台４を、架渡し状態且つ伸縮機構２内に収容した状態で、位置決め載置する載置部になる。
【００３８】
各枠フレーム７，８の上端部の上下高さについて説明すると、最外上側内枠フレーム７Ｂ以外の内枠フレーム７Ａ，７Ｃの上端部は、他の枠フレームに比べて最も低い位置に形成されて、上部連結軸１１によって連結された外枠フレーム８Ａ，８Ｃの枠内天井側に収まる高さに設定されている。最外上側外枠フレーム８Ｂ及び最外下側外枠フレーム８Ａの上端部は、最外上側内フレーム７Ｂ及び中間外枠フレーム８Ｃの上端部よりも高い位置に形成されて前後方向に延びるグリップ１７，１７を構成している。
【００３９】
この高さ関係により、上記左右一対の各グリップ１７，１７と、格納姿勢時に隣接する枠フレーム７，８（具体的には、中間外枠フレーム８Ｃ及び最外上側内枠フレーム７Ｂ）の上端部とが、該グリップ１７，１７に対して低い位置に形成され、各グリップ１７，１７の左右両側に把持を許容するスペースＳが形成され、伸縮機構２を縮小させた際に枠フレーム７，８間に手が挟まれることを確実に防止できる。また、この左右一対のグリップ１７，１７を把持して、伸縮機構２の伸縮操作をスムーズに行うことが可能になる。
【００４０】
中間内枠フレーム７Ｃの枠内の上下方向中途部（上寄り部分）には、前後方向の把持杆１８が架設固定され、この把持杆１８は、格納姿勢に切換えられた折畳みフレーム１を持上げる際に把持する部分になる。
【００４１】
最外上側内枠フレーム７Ｂの上端部と、最外上側外枠フレーム８Ｂの上端部との間には、伸縮機構２の左右方向への所定以上の伸長を規制する紐状の規制具１９（具体的には、規制チェーン）が架渡されている。
【００４２】
該構成の伸縮機構２の前面側は、ビニールシート等のフレキシブルに変形可能なシート２１、或いは鉄板やベニヤ板等のパネル（図示する例ではシート２１）を設置する設置部２２になる。
【００４３】
具体的には、最外上側外枠フレーム８Ｂの前面の上端側と、最外下側外枠フレーム８Ａの前面の下端側と、最外上側内枠フレーム７Ｂの前面の上端側と、最外下側内枠フレーム７Ａの前面の下端側との少なくとも４箇所には、前方突出した棒状の係止片２３が一体的に形成され、さらに、必要に応じて、中間外枠フレーム８Ｃの前面の上端側と、最外下側外枠フレーム８Ａの前面の上端側とにも、前方突出した棒状の係止片２３が一体的に形成される。
【００４４】
係止片２３は、突出端部側に径が大きいヘッド部が一体形成される。ちなみに、上述の構成によって、内枠フレーム７の前面の前後位置は、外枠フレーム８の前面の前後位置よりも後方に位置することになるため、最外上側内枠フレーム７Ｂの前面の上端部と、最外下側内枠フレーム７Ａの前面の下端部とには、該内枠フレーム７の前面に沿う棒状の突出部材２４を取付固定しており、この各取付部材２４の前面から係止片２３が前方に向かって一体的に突設される。
【００４５】
折畳みフレーム１を展開姿勢に切換えた状態で、この各係止片２３を、シート２１又はパネルの端側の対応位置に穿設された設置孔２１ａに挿通させて係脱自在に係止することにより、折畳みフレーム１の周囲の一部である前面側にシート２１又はパネルを着脱自在に設置する。ちなみに、上述した係止片２３のヘッド部により、設置孔２１ａへの係止片２３の引掛りが良好になる。
【００４６】
ただし、シート２１又はパネルの下側の設置孔２１ａを、直接係止片２３を挿通させて係止させなくてもよく、設置孔２１ａと係止片２３とを、引張バネ（弾性部材）２６を介して連結支持し、引張バネ２６の弾性力を左右方向外側且つ下方に作用させることにより、シート２１又はパネルを、折畳みフレーム１に弾力的に支持させることも可能である。特に、シート２１又はパネルを設置する場合、この弾力支持構造によって、弛みが効率的に防止される。
【００４７】
なお、上記２つの突出部材２４，２４の前面と、外枠フレーム８の前面とは、同一平面上にほぼ位置した状態になるため、シート２１を凹凸が抑制されたフラットな状態で折畳みフレーム１に設置できる。
【００４８】
図３は、縦フレームの斜視図である。図１乃至図３に示す通り、伸縮方向である左右方向に並べられた左右一対の各縦フレーム３，３は、上下方向に延びるレール部材２７と、レール部材２７の後方且つ左右方向外側に配置された上下方向の支柱２８とを備えている。
【００４９】
上記レール部材２７は、前方が開放された上下方向のレール溝２７ａが全長方向の略全体に亘り形成されている。伸縮機構２の左右端部の下部（具体的には、最外下側内枠フレーム７Ａ及び最外下側外枠フレーム８Ａの下部）は、前後方向の回動軸２９を介して、該回動軸２９の軸回りに回動自在にレール部材２７の下部に連結される。一方、伸縮機構２の左右端部の上部（具体的には、最外上側内枠フレーム７Ｂ及び最外上側外枠フレーム８Ｂの上部）は、前後方向のスライド回動軸３１を介して、該スライド回動軸３１の軸回りに回動自在且つレール溝２７ａ内をスライド自在にレール部材２７の上寄り部分に連結される。
【００５０】
このため、伸縮機構２を左右方向に伸縮作動させると、左右一対のレール部材２７，２７（縦フレーム３，３）が互いの平行関係を保持しながら、離間・近接する。言換えると、上下方向に延びる左右一対の縦フレーム３，３は、伸縮機構２を介して互いが離間・近接可能に連結されている。
【００５１】
上記左右の支柱２８，２８は、それぞれ近い側のレール部材２７に上下一対のブラケット３２を介して取付固定されている。この支柱２８は、レール部材２７に固定されて上下方向に延びる断面視多角形状（図示する例では八角形）の支持筒３３と、支持筒３３内に軸方向にスライド自在に挿入されたスライド軸３４とを有し、スライド軸３４の周面には、自身の軸方向に延びる摺動溝３４ａが凹設されている。
【００５２】
このスライド軸３４の摺動溝３４ａ内と、支持筒３３の内周との間に、弾性変形可能なクッション材３６が挿入されており、このクッション材３６によって、スライド軸３４が自重により支持筒３３内にスライド落下することが防止される。また、スライド軸３４の上端部であるストッパ部３４ｂの断面形状は、支持筒３３の外形の断面と同一形状に成形され、スライド軸３４の支持筒３３に対する所定以上の下方スライドを規制している。
【００５３】
また、支持筒３３には、外周側から挿入されて上記クッション材３６を摺動溝３４ａの底面側に押圧する固定ボルト（さらに具体的には、蝶ボルト）３７が設けられ、この固定ボルト３７を締付けることにより、スライド軸３４が支持筒３３に位置決め固定される一方で、該固定ボルト３７を緩めることにより、スライド軸３４が支持筒３３に対して軸方向にスライド可能な状態になる。
【００５４】
図４は、左右の縦フレーム間にシートを設置した状態を示す背面図である。図３及び図４に示す通り、この左右のスライド軸３４，３４のストッパ部３４ｂ，３４ｂの間（左右の縦フレーム３，３の上端部間）には、左右方向に延びる架設フレーム３８が架設支持される。架設フレーム３８は左右何れかのストッパ部３４ｂ（縦フレーム３）に左右回動自在に支持された基端側リンク３９と、この基端側リンク３９の先端部に左右回動可能に支持された先端側リンク４１とを有している。
【００５５】
先端側リンク４１を、基端側リンク３９に重なり合うまで回動させ、この状態で、基端側リン３９ク及び先端側リンク４１を縦フレーム３に沿わせて上下方向に向けることにより、該架設フレーム３８が折畳まれた状態で、縦フレーム３の背面側に格納される。
【００５６】
ちなみに、先端側リンク４１を、基端側リンク３９に重なり合うまで回動させると、それ以上先端側リンク４１が基端側リンク３９に対して回動されないように規制する規制部３９ａが基端側リンク３９に一体形成されている。
【００５７】
一方、基端側リンク３９及び先端側リンク４１を、他方の縦フレーム３の上端部側に一直線状に延びるように回動させ、先端側リンク４１の先端部を該他方の縦フレーム３のストッパ部３４ｂに係止することにより、左右の縦フレーム３，３の上部間に架設フレーム３９が架設される。
【００５８】
具体的には、先端側リンク４１の先端部に切欠き形成された係止溝４１ａに、上記他方のストッパ部３４ｂから後方に一体的に突出形成された係止ボルト４２の軸部を、周面から挿入して係止し、該係止ボルト（蝶ボルト）４２を締付けることにより、架設フレーム３８が左右の縦フレーム３，３間に架設された状態で固定される。
【００５９】
一方、架設フレーム３８を上記折畳み状態とし、基端側リンク３９の基端側に位置して該基端側リンク３９の回転支点となる支持ボルト（蝶ボルト）４３の軸部の周面を、先端側リンク４１の前記係止溝４１ａに挿入して係止し、該支持ボルト４２を締めすることにより、架設フレーム３８が折畳み状態で、縦フレーム３の背面側に位置決め係止される。
【００６０】
言換えると、左右の縦フレーム３，３間に架設される架設フレーム３８は、非架設状態において、左右一方の縦フレーム３に格納される。
【００６１】
この左右の縦フレーム３，３及び縦フレーム３，３間に架設された架設フレーム３８の前面にシート４４又はパネルが設置される。シート４４又はパネルの取付手段は、紐等を用いてもよく、その他の各種取付手段を用いてもよい。
【００６２】
図５（Ａ），（Ｂ）はシートの他例を示す正面図である。同図（Ａ）に示すように、一対の縦フレーム３，３の上半部の間に架設されるシート４４又はパネルは、蝶ボルト４２，４３を挿通させて保持される設置孔４４ａが上端側の左右端側に穿設され、その他、下端側の左右端側と、上端側の左右方向中途部に設置孔４４ａが穿設されている。下端側の２つの設置孔４４ａは、上述した一対の蝶ボルト３７に挿通して保持させ、上端側の中途部の設置孔４４ａは、架設フレーム３８に中途部側に設けた係止片に係止させ、これによって、弛みが防止された状態で、シート４４が一対の縦フレーム３の間に張られる。
【００６３】
同図（Ｂ）に示すように、一対の縦フレーム３，３の上下方向全体に亘り、シート４４を架渡してもよい。この場合、下側の一対の設置孔４４ａ，４４ａは、それぞれ違い側の縦フレーム３，３の下端側に設けた係止片に係止させる。さらに、このシート４４の左右各縁部の上下方向中途部には、粘着テープ４５を設け、この一対の粘着テープ４５，４５を、違い側の縦フレーム３，３に巻付けて取付ける。
【００６４】
図６は、載置台の構成を示す正面図である。図１及び図５に示す通り、上記載置台４は、左右中央を境に、左右の分割形成されている。左右一方の分割体４６を、他方の分割体４６の下面側に折畳むことが可能なように左右の分割体４６，４６同士が回動可能に連結され、この折畳みによって、載置台４をコンパクトに収容可能になるとともに、左右の分割体４６，４６は、正面視で、伸縮方向である左右方向に一直線状に展開された状態で、上述した載置部に着脱自在に位置決め載置される。
【００６５】
また、載置台４は、上方が開放されたチャネル状断面が左右方向に形成され、左右各端部の下面側には、下方が開放されたチャネル状断面が前後方向に延びる係止片４７が固設され、この係止片４７を、載置部を構成する枠フレーム７，８の下端部や、下部杆１６に引掛けることにより、この載置台４を係止させることも可能である。
【００６６】
このようにして、伸縮機構２の枠フレーム７，８内に位置決め載置された載置台４のチャネル断面内には、ポリタンクや水筒等の重り４８が一又は複数載置され、この重り４８の設置によって、折畳みフレーム１の安定性が向上し、強風にも耐え得る状態になる。
【００６７】
なお、この載置台６を、伸縮機構２の上面側に架渡し状態で、位置決め載置してもよい。
【００６８】
以上のように構成される折畳みフレーム１によれば、左右一対のグリップ１７，１７を把持することにより、格納姿勢から展開姿勢または展開姿勢から格納姿勢への切換をスムーズ且つ迅速に行うことが可能である。
【００６９】
また、伸縮機構２の左右一方側端の下部杆１６に足を掛け、下部杆１６が設置された枠フレーム７，８と共にＸリンク６を構成する他の枠フレーム７，８の上端部を把持して、上下動させることによっても、格納姿勢から展開姿勢または展開姿勢から格納姿勢への切換をスムーズ且つ迅速に行うことが可能である。
【００７０】
そして、展開姿勢への切換後、この折畳みフレーム１にシート２１，４４又はパネルを設置することにより、仮設作業を完了する。
【００７１】
この折畳みフレーム１は、シート２１、４４又はパネルに表示される内容を変更することによって、緊急時やイベント開催時や道路工事や交通事故時や等の標識として、利用できる他、通行人の侵入禁止や、誘導標識としても利用でき、さらには、目隠しカバーとして用いてもよい。
【００７２】
また、伸縮機構２を縮小させることにより、折畳みフレーム１自体が非常にコンパクトになるため、セダン等の乗用車として用いる自動車のトランク等に簡単に収容できて持ち運びも楽になる。言換えると、この折畳みフレーム１は、トラック等の大型車両を必要とせず、普通車の車両を用いて、そのトランクに幾つも折畳みフレーム１を収容して搬送させることが可能になる。そして、折畳みフレーム１の主要部分の材質はアルミであるため、錆び難いため耐久性も高く、軽量になるため、女性でも持ち運びが容易である。このため、道路での事故等の緊急時に至急で折畳みフレーム１を設置する場合における持ち運び移転や設置、或いはその後の収納が簡単になる。
【００７３】
なお、図７に示すように、枠フレーム７，８の前面には、前方に向かって下方傾斜した傾斜部材４９を設け、シート２１又はパネルの設置面を前方に向かって下方傾斜させる。これによって、シート２１又はパネルも前方に向かって下方傾斜した状態になるため、シート２１又はパネルの視認性が向上する。傾斜部材４９は、全外枠フレーム８と、最外上側内枠フレーム７Ｂの上半部と、最外側下側内枠フレーム７Ａの下半部とにそれぞれ一体的に設ける。
【００７４】
また、左右一対の縦フレーム３，３を省略することも可能であり、この場合には、折畳みフレーム１の前面、後面及び上面にシート２１又はパネルを設置してもよい。
【００７５】
さらに、この際、図８（Ａ）に示すように枠フレーム７，８の前後両面に傾斜部材４９をそれぞれ設けて両台形型としてもよい。この傾斜部材４９によって、後方に向かって下方傾斜した状態で、シート２１又はパネルを設置可能になるため、視認性が向上するとともに、前後の傾斜部材４９，４９によって、自立時の安定性が向上する。ちなみに、この場合でも、枠内下端側に載置台４を位置決め載置可能である。
【００７６】
また、同図（Ｂ）に示すように、傾斜部材４９を、前面または後面の何れか一方にのみ設けて片台形型に枠フレーム８，９を形成してもよく、この場合にも、枠内下端側に載置台４を位置決め載置可能とする。ちなみに、図７において、図１と説明が重複する部分ついては、符号を省略している。
【００７７】
さらに、図９（Ａ），（Ｂ）に示す矢印のように、シート２１又はパネルに表示させる内容が、シート２１又はパネルの面に垂直な軸回りに１８０度回動させても、表示可能である場合には、１枚の印や絵柄で２つの用途に対応可能になり、汎用性が向上する。
【００７８】
次に、図１０及び図１１に基づき、折畳みフレーム１の別実施形態について、上述した形態と異なる点を説明する。
図１０（Ａ），（Ｂ）は折畳みフレームの別実施形態を示す正面図及び平面図である。同図に示す折畳みフレーム１では、平面視で、多角形（図示する例では四角形）の頂点に対応する位置に上述した縦フレーム３を配し、隣接する縦フレーム３同士を、それぞれリンクをクロスさせることによりなる板状のパンタグラフ２によって連結することにより、平面視環状の多角形状（図示する例では四角形）の折畳みフレーム１が構成されている。縦フレーム３の下端部は設置面に接地可能な長さに設定され、縦フレーム３は上下方向に伸縮する他、シート２１が、この折畳みフレーム１の四方を囲繞し且つ上面をカバーするように袋状に形成され、この袋状のシート２１が上側から展開状態の折畳みフレーム１に覆い被せられるように該折畳みフレーム１に設置される。
【００７９】
この複数のパンタグラフによって、伸縮機構２が構成され、各パンタグラフを縮小させることにより、折畳みフレーム１の全体が左右方向及び前後方向に縮み、格納姿勢時にさらにコンパクトな状態になる。
【００８０】
図１１（Ａ），（Ｂ）はそれぞれ袋状のシートの構成を示す斜視図である。袋状のシート２１は、伸縮折畳みスタンドとして用いる折畳みフレーム１の高さ及び平面的なサイズに併せて、個別に用意され、このシート２１の周囲の面の境界部分には、その下端から中途部に至る範囲がファスナー５１が設置され、隣接する互いの面を分離させることが可能になっている。このため、シート２１の装着がより容易になり、装着後は、折畳みフレーム１の周囲を確実に覆うことが可能になる。
【符号の説明】
【００８１】
１  折畳みフレーム（折畳みフレーム，伸縮フレーム）
２  伸縮機構
３  縦フレーム
４  載置台
６  Ｘリンク
７  内枠フレーム（枠フレーム）
８  外枠フレーム（枠フレーム）
１３  接地部（設置面）
１６  下部杆
１７  グリップ
１８  把持杆
２１  シート
２２  設置部
２６  引張スプリング（弾性部材）
３８  架設フレーム
４４  シート
【図１】
0003180181.tif 000003
【図２】
0003180181.tif 000004
【図３】
0003180181.tif 000005
【図４】
0003180181.tif 000006
【図５】
0003180181.tif 000007
【図６】
0003180181.tif 000008
【図７】
0003180181.tif 000009
【図８】
0003180181.tif 000010
【図９】
0003180181.tif 000011
【図１０】
0003180181.tif 000012
【図１１】
0003180181.tif 000013